(57)【特許請求の範囲】
【請求項１】
ＣＳＡを内側に配置したピラーガーニッシュを、該ピラーガーニッシュのテザー収納部の底壁に形成された長方形のテザー挿入孔部位にてピラーに取り付けるのに用いられ、
１つの平面に沿って延びるテザーと、該テザーの先端部に位置するテザー先端部に接続されるアンカーと、を有する、樹脂製のテザークリップであって、
前記アンカーは、前記テザー先端部と接続され前記１つの平面と直交する方向に延びるアンカー本体と、該アンカー本体に接続され前記テザー先端部を間にして該テザー先端部の両側で延びる一対の弾性片と、を有しており、該一対の弾性片は前記アンカー本体から離れるに従って前記テザー先端部から離れる方向に延びており、
各弾性片は、前記アンカー本体の長手方向に平行な方向に向けられた幅と、該幅と直交し前記アンカー本体から離れる方向に向けられた長さと、を有し、各弾性片は、弾性片の長さ方向先端側に設けられ弾性片の幅が前記テザー挿入孔の短辺の長さより狭い狭幅部と、弾性片の長さ方向アンカー本体側に設けられ弾性片の幅が前記テザー挿入孔の短辺の長さより広い部分を備える広幅部と、を有する、テザークリップ。
【請求項２】
各弾性片の、前記アンカー本体に繋がる部分の幅は、前記アンカー本体の長手方向の長さと同じかまたはそれ以下であり、各弾性片の幅は、先端に向って滑らかに狭くなっている、請求項１記載のテザークリップ。
【請求項３】
各弾性片は弾性片の幅の方向および長さの方向と直交する方向に向けられた厚みを有し、
一対の弾性片の任意の長さ位置における厚みと該一対の弾性片間にわたる方向における前記テザー先端部の厚みとの和は、前記テザー挿入孔の短辺の長さ以下とされている、請求項１または請求項２記載のテザークリップ。
【請求項４】
弾性片の先端部よりも前記アンカー本体から離れたテザー中間部に、前記アンカー本体の長手方向と直交する面に沿って延び前記テザー中間部から離れる方向でかつ互いに反対側に延びる一対の案内板が形成されており、該一対の案内板は、前記テザー中間部のうち該一対の案内板が形成される部位を間にして互いに対向する２辺を有し、該対向する２辺の間隔が前記アンカー本体に近づくにつれて広くなっている、請求項１―請求項３の何れか１項に記載のテザークリップ。
【請求項５】
テザー収納部を有し該テザー収納部の底壁にテザー挿入孔を有するピラーガーニッシュを備え、該ピラーガーニッシュを、請求項１−請求項４の何れか１項に記載のテザークリップを用いてピラーに取り付けたピラーガーニッシュの取付構造。
【発明の詳細な説明】
【技術分野】
【０００１】
本発明は、テザークリップと、テザークリップを用いるピラーガーニッシュ取付構造（「取付構造」は「取付装置」と云ってもよい）に関する。
【背景技術】
【０００２】
特許文献１では、テザークリップのガーニッシュに対する回転を防止するための弾性片はアンカーの手前のテザー先端部に設けられている。弾性片はテザーにアンカーの長手方向と直交する方向に延びて設けられている。
特許文献２では、テザーの曲がり方向はピラーガーニッシュの長手方向に向けられている。
【０００３】
しかし、従来構造には、つぎの問題点がある。
図１２，図１３に示すように、特許文献１のテザークリップ１を用い、テザー２の曲がり方向の向きを特許文献２のようにピラーガーニッシュ４の長手方向Ｄ１に向けると、カーテンエアバッグ（以下、単に「ＣＳＡ」という。ここでＣＳＡはCurtain Shield Airbagの略である。）の膨張展開時に一方の弾性片３ａがテザー挿入孔４ａの短辺縁面４ｂに当たった時に、一方の弾性片３ａの根元が圧縮方向に強く押され塑性変形する可能性がある。
また、他方の弾性片３ｂは先端部のみがテザー挿入孔４ａに位置するためテザー先端部まわりの回転力により弾性片３ｂが変形してテザー挿入孔４ａから外れ、アンカー５がピラーガーニッシュ４に対しある程度回転してアンカー長手方向とテザー挿入孔長手方向との直交が維持できなくなる。
その結果、アンカー５のピラーガーニッシュ４への接触面積が減少し、ピラーガーニッシュ接触面への応力集中によりピラーガーニッシュ４が削られピラーガーニッシュ４がアンカー５から外れる可能性がある。また、アンカー長手方向とテザー挿入孔長手方向とが一致する角度までアンカー５がピラーガーニッシュ４に対して回転すると、ピラーガーニッシュ４がテザークリップ１から外れる可能性がある。
【先行技術文献】
【特許文献】
【０００４】
【特許文献１】特開２０１３−１３７０４９号公報
【特許文献２】特開２０１５−１４０１１７号公報
【発明の概要】
【発明が解決しようとする課題】
【０００５】
本発明の目的は、ＣＳＡ膨張展開時にピラーガーニッシュがテザークリップから外れることを抑制できる、テザークリップとテザークリップを用いるピラーガーニッシュ取付構造を提供することにある。
【課題を解決するための手段】
【０００６】
上記目的を達成するテザークリップと、テザークリップを用いるピラーガーニッシュ取付構造は、つぎの態様（「態様」は「構造」と云ってもよい）をとることができる。なお、括弧つきの符号は、図面に現れる部材番号に対応する。
本発明の第１の態様では、テザークリップ（１０）は、ＣＳＡ（５０）を内側に配置したピラーガーニッシュ（３０）を、ピラーガーニッシュ（３０）のテザー収納部（３３）の底壁（３１）に形成された長方形のテザー挿入孔（３２）部位にてピラー（４０）に取り付けるのに用いられ、１つの平面に沿って延びるテザー（１３）と、テザー（１３）の先端部に位置するテザー先端部（１３ａ）に接続されるアンカー（１４）と、を有する、樹脂製のテザークリップである。
アンカー（１４）は、テザー先端部（１３ａ）と接続され前記１つの平面と直交する方向に延びるアンカー本体（６０）と、アンカー本体（６０）に接続されテザー先端部（１３ａ）を間にしてテザー先端部（１３ａ）の両側で延びる一対の弾性片（６１）と、を有している。一対の弾性片（６１）はアンカー本体（６０）から離れるに従ってテザー先端部（１３ａ）から離れる方向に延びている。
各弾性片（６１）は、アンカー本体（６０）の長手方向に平行な方向に向けられた幅と、該幅と直交しアンカー本体（６０）から離れる方向に向けられた長さと、を有する。各弾性片（６１）は、弾性片（６１）の長さ方向先端側に設けられ弾性片（６１）の幅がテザー挿入孔（３２）の短辺の長さより狭い狭幅部（６１ａ）と、弾性片（６１）の長さ方向アンカー本体側に設けられ弾性片（６１）の幅がテザー挿入孔（３２）の短辺の長さより広い部分を備える広幅部（６１ｂ）と、を有している。
【０００７】
本発明の第２の態様では、上記第１の態様において、各弾性片（６１）の、アンカー本体（６０）に繋がる部分の幅は、アンカー本体（６０）の長手方向の長さと同じかまたはそれ以下であり、各弾性片（６１）の幅は、先端に向って滑らかに狭くなっている。
【０００８】
本発明の第３の態様では、上記第１の態様または第２の態様において、各弾性片（６１）は弾性片（６１）の幅の方向および長さの方向と直交する方向に向けられた厚みを有する。
一対の弾性片（６１）の任意の長さ位置における厚みと一対の弾性片（６１）間にわたる方向におけるテザー先端部（１３ａ）の厚みとの和は、テザー挿入孔（３２）の短辺の長さ以下とされている。
【０００９】
本発明の第４の態様では、上記第１―第３の態様の何れか１つにおいて、弾性片（６１）の先端部よりもアンカー本体（６０）から離れたテザー中間部（１３ｄ）に、アンカー本体（６０）の長手方向と直交する面に沿って延びテザー中間部（１３ｄ）から離れる方向でかつ互いに反対側に延びる一対の案内板（７０）が形成されている。一対の案内板（７０）は、テザー中間部（１３ｄ）のうち一対の案内板（７０）が形成される部位を間にして互いに対向する２辺（７１）を有し、対向する２辺（７１）の間隔がアンカー本体（６０）に近づくにつれて広くなっている。
【００１０】
本発明の第５の態様では、ピラーガーニッシュ取付構造（２０）は、テザー収納部（３３）を有しテザー収納部（３３）の底壁（３１）にテザー挿入孔（３２）を有するピラーガーニッシュ（３０）を備え、ピラーガーニッシュ（３０）を、上記の第１−第４の態様の何れか１つに記載のテザークリップ（１０）を用いてピラー（４０）に取り付ける。
【発明の効果】
【００１１】
本発明の第１の態様に係るテザークリップによれば、つぎの効果を得ることができる。
ＣＳＡの膨張展開時には、アンカー本体がテザー挿入孔とほぼ直交した状態で一対の弾性片の広幅部がテザー収納部底壁の内面に当たってピラーガーニッシュのピラーから離れる方向の移動が止められる。
一対の弾性片はアンカー本体から離れるに従ってテザー先端部から離れる方向に延びているため、ピラーガーニッシュのテザー収納部底壁が一対の弾性片の広幅部に接触開始した時、一対の弾性片の広幅部が弾性変形して、衝撃が吸収され、かつ、一対の弾性片の広幅部とテザー挿入孔縁部との接触面積が増大し面圧が減少する。その結果、テザー挿入孔縁部の削れ、テザー挿入孔の拡大、テザー挿入孔縁部の割れが発生しにくくなる。
また、一対の弾性片は狭幅部を有するため、一対の弾性片の広幅部がテザー収納部底壁に当たった時、一対の弾性片の狭幅部の根元はテザー挿入孔内に位置する。一対の弾性片はアンカー本体から離れるにしたがってテザー先端部から離れる方向に延びているため、一対の弾性片の狭幅部がテザー挿入孔内にある時に一方の弾性片の狭幅部がテザー挿入孔の短辺縁面によって強く押されても、テザー先端部に当たるまで弾性変形するだけであり、従来における一方の弾性片の根元の塑性変形が抑制される。また、一方の弾性片の狭幅部がテザー挿入孔の短辺縁面によって強く押されても、他方の弾性片の狭幅部の根元側がテザー挿入孔内に位置しているので、テザー先端部にかかる回転力により他方の弾性片の狭幅部は変形し難く、かつ、他方の弾性片がアンカー本体への取付部から弾性片先端に向かって開いているので閉じ難いため、アンカーが回転してテザー挿入孔から外れる可能性は少ない。
よって、ピラーガーニッシュがテザークリップから外れることを抑制できる。
【００１２】
本発明の第２の態様に係るテザークリップによれば、つぎの効果を得ることができる。
各弾性片の、アンカー本体に繋がる部分の幅は、アンカー本体の長手方向の長さと同じかまたはそれ以下であり、弾性片の幅は、先端に向って滑らかに狭くなっている。このため、テザークリップがピラーガーニッシュに組付けられている時においてアンカーがテザー収納部の開口を通してテザー収納部外に位置する場合であっても、ＣＳＡの膨張展開時に、アンカーがテザー収納部の外側からテザー収納部の開口を通ってテザー収納部の内側に移動する時に、アンカーがテザー収納部の開口に引っ掛かることを抑制できる。
【００１３】
本発明の第３の態様に係るテザークリップによれば、つぎの効果を得ることができる。
一対の弾性片の任意の長さ位置における厚みと一対の弾性片間にわたる方向におけるテザー先端部の厚みとの和は、テザー挿入孔の短辺の長さ以下とされているので、テザー先端部および一対の弾性片はテザー挿入孔を容易に挿通可能である。
【００１４】
本発明の第４の態様に係るテザークリップによれば、つぎの効果を得ることができる。
案内板が設けられているので、ＣＳＡの膨張展開時にテザー収納部底壁がテザー中間部と摺動する時においても、テザーのピラーガーニッシュに対する回転を止めることができる。したがって、テザーの長手方向をピラーガーニッシュの長手方向に向けアンカーをテザー収納部外に位置させることによりテザーの長さを長くしたテザークリップにおいても、ＣＳＡ膨張展開時における、アンカーとテザー挿入孔との直交性を確実に確保できる。
【００１５】
また、案内板が設けられているので、ＣＳＡの膨張展開時に、一対の弾性片の狭幅部をテザー挿入孔に安定して突入させることができる。
【００１６】
本発明の第５の態様に係るピラーガーニッシュの取付構造によれば、つぎの効果を得ることができる。
第１−第４の態様の何れか１つに記載のテザークリップを用いてピラーガーニッシュをピラーに取り付けたので、本発明の第１−第４の態様の効果と同様の効果を得る。すなわち、ＣＳＡの膨張展開時に、ピラーガーニッシュのテザー収納部の底壁が一対の弾性片の広幅部に接触開始した時、一対の弾性片の広幅部が弾性変形して、衝撃が吸収される。また、ＣＳＡの膨張展開時に、アンカーが回転してテザー挿入孔から外れる可能性は少ない。
【図面の簡単な説明】
【００１７】
【図１】本発明実施例１における、テザークリップの斜視図である。
【図２】本発明実施例１におけるピラーガーニッシュ取付構造（以下、単に取付構造ともいう）の、ピラーガーニッシュを断面表示にて示した側面図である。
【図３】本発明実施例１における取付構造の、図２より縮小されたピラーガーニッシュを断面表示にて示した正面図である。
【図４】本発明実施例１における、テザークリップをピラーガーニッシュへ取付ける時の、弾性片とその近傍を示す部分拡大断面図である。
【図５】本発明実施例１における、テザークリップをピラーガーニッシュへ取付ける時で弾性片の狭幅部がテザー挿入孔内に位置し広幅部がテザー挿入孔外に位置する時に、テザーをテザー先端部中心軸線まわりに９０度回転させた状態を示す、弾性片とその近傍を示す部分拡大断面図である。
【図６】図５の状態における取付構造の、ピラーガーニッシュを断面表示にて示した平面図である。
【図７】本発明実施例１における、ＣＳＡの膨張展開時にピラーガーニッシュがテザークリップから抜ける方向に移動し弾性片の狭幅部がテザー挿入孔内に位置する時の、弾性片とその近傍を示す部分拡大断面図である。
【図８】本発明実施例１における、ＣＳＡの膨張展開時にピラーガーニッシュがテザークリップから抜ける方向に移動し一方の弾性片がテザー挿入孔の短辺縁面に当たった時の、弾性片とその近傍を示す部分拡大断面図である。
【図９】本発明実施例２における、テザークリップの斜視図である。
【図１０】本発明実施例２における取付構造の、ピラーガーニッシュを断面表示にて示した側面図である。
【図１１】本発明実施例２における、ＣＳＡの膨張展開時にピラーガーニッシュがテザークリップから抜ける方向に移動して案内板がテザー挿入孔内に位置する時の、弾性片とその近傍を示す部分拡大断面図である。
【図１２】本発明実施例の比較例の取付構造における、テザーの向きをピラーガーニッシュの長手方向に向けたときの、アンカーとその近傍およびピラーガーニッシュを断面表示にて示した、図２に対応する側面図である。
【図１３】本発明実施例の比較例の取付構造における、ＣＳＡの膨張展開時にピラーガーニッシュがテザークリップから抜ける方向に移動し、一方の弾性片がテザー挿入孔の短辺縁面に当たった時の、部分断面図である。
【発明を実施するための形態】
【００１８】
本発明に係るテザークリップ１０とテザークリップ１０を用いるピラーガーニッシュ取付構造２０を、図面を参照して説明する。図１−図８は、本発明実施例１のテザークリップとピラーガーニッシュ取付構造を示し、図９−図１１は、本発明実施例２のテザークリップとピラーガーニッシュ取付構造を示す。本発明の全実施例にわたって共通する部分には、本発明の全実施例にわたって同じ符号を付してある。
【００１９】
〔第１実施例〕
本発明実施例１に係るテザークリップ１０とピラーガーニッシュ取付構造２０を説明する。
【００２０】
テザークリップ１０は、図１および図２に示すように、クリップ中心軸線１０ａと直交する単一の座部１１と、座部１１から離れる方向にクリップ中心軸線１０ａに沿って延びる単一の脚１２と、脚１２と反対側に座部１１から離れる方向に１つの平面に沿って、湾曲状、または直線状、または湾曲状と直線状に延びるテザー１３と、テザー１３の先端部に位置するテザー先端部１３ａに接続されるアンカー１４と、座部１１から離れる方向にテザー１３と同じ側に立ち上がる一対の係合保持部１５と、を有する。
【００２１】
ピラーガーニッシュ３０は、テザークリップ１０がピラーガーニッシュ３０に組付けられた時にテザー１３の少なくとも一部を内部に収納するテザー収納部３３を有する。テザー収納部３３の底壁３１には長方形状のテザー挿入孔３２が形成されている。テザー挿入孔３２の長手方向は、ピラーガーニッシュ３０の長手方向Ｄに向けられている。テザー収納部３３は、ピラーガーニッシュ３０の長手方向に一方向に開放された開口３３ａを有する。
【００２２】
テザークリップ１０は、可撓性を有する樹脂材からなる。樹脂材は、たとえばポリヘキサメチレンアジポアミドである。ただし、可撓性を有し必要な強度をもつ樹脂材であれば、それ以外の樹脂材であってもよい。ピラーガーニッシュ３０は、テザークリップ１０と同等か、またはそれより硬質のプラスチックからなる。
【００２３】
テザークリップ１０のピラーガーニッシュ３０への組付け構造２０は、テザークリップ１０とピラーガーニッシュ３０とを含む。テザークリップ１０のピラーガーニッシュ３０への組付けにおいては、アンカー１４をテザー挿入孔３２に通す。さらに、テザークリップ１０をクリップ中心軸線１０ａまわりに９０度回転させた後、アンカー１４がテザー収納部３３の開口３３ａを通してテザー収納部３３外に出るまで、かつ、テザー収納部３３の底壁３１が係合保持部１５の膨出部１５ｂと座部１１とで挟まれる位置まで、テザー１３をテザー収納部３３内にさらに挿入する。これにより、テザークリップ１０がピラーガーニッシュ３０に組付けられる。
【００２４】
テザークリップ１０がピラーガーニッシュ３０に組付けられた時に、テザー１３は開口３３ａを通してテザー収納部３３の内側から外側に延び出ており、アンカー１４はテザー収納部３３の外側に位置する。これにより、テザー収納部３３の側壁によって制限されることなく、テザー１３の長さを長くすることができる。
【００２５】
図３に示すように、テザークリップ１０が組付けられた状態で脚１２を車両のピラー４０のクリップ取付孔４１に挿入することにより、ピラーガーニッシュ３０はピラー（フロントピラー）４０に取付けられる。脚１２の外形はほぼ円形であり、クリップ取付孔４１は円形である。したがって、脚１２はクリップ取付孔４１内でクリップ中心軸線１０ａまわりに回転できる。
【００２６】
図２に示すように、テザー１３は、テザー１３の延び方向の途中で曲げられており、テザー１３の曲がり方向はピラーガーニッシュ３０の長手方向Ｄと一致されている。車両の側面衝突時またはロールオーバ時などＣＳＡ５０（図３）の展開時には、ピラーガーニッシュ３０がテザークリップ１０から抜ける方向に、テザー収納部３３の底壁３１がアンカー１４に当たるまで移動する。そして、展開したピラーガーニッシュ３０とピラー４０との間にＣＳＡ５０の展開用隙間を形成し、それ以上の移動をアンカー１４によって制限してピラーガーニッシュ３０の飛散を防止する。
【００２７】
図３に示すように、ＣＳＡ５０は、ピラー４０とピラーガーニッシュ３０との間の空間に、折り畳まれた状態で収納される。車両衝突時またはロールオーバ時、ＣＳＡ５０が膨張展開され、ピラーガーニッシュ３０をピラー４０から離れる方向に押す。ＣＳＡ５０は、インナーパネル４２とピラーガーニッシュ３０との間に形成された展開用隙間を通して車室内に、かつ、乗員とサイドドアとの間に展開し、乗員頭部を拘束、保護する。図３で、符号５０´は展開途中のＣＳＡの一部を示す。
【００２８】
テザー１３が延び方向の途中で曲げられていること、およびテザー１３がテザー収納部３３の開口３３ａを通してテザー収納部３３の内側から外側に延び出ていること、およびアンカー１４がテザー収納部３３の外側に位置することにより、テザー長を長くできる。その結果、ＣＳＡ５０の膨張展開時におけるインナーパネル４２とピラーガーニッシュ３０との間のＣＳＡ５０の膨張展開用隙間を大きくとることができる。
【００２９】
以下、テザークリップ１０とピラーガーニッシュ取付構造２０の各部を、順に、さらに詳細に説明する。
脚１２は、座部１１と直交しており、脚１２の中心軸線はクリップ中心軸線１０ａと一致する。脚１２は、中空であり、クリップ中心軸線１０ａと直交する方向における脚１２の断面の外形は、円形、またはほぼ円形である。
【００３０】
図２に示すように、クリップ中心軸線１０ａを挟んで互いに対向する中空脚１２の部位に一対の開口部（スリット）１６ｂが設けられ、そこに一対の係止爪１６が設けられる。一対の係止爪１６は、クリップ中心軸線１０ａと直交する方向に、互いに対向している。
【００３１】
係止爪１６は、クリップ軸方向に座部１１から離れた位置にある脚１２との結合部１６ａから座部１１側に延びる。係止爪１６は、自由端で終わっていてもよい。係止爪１６が自由端で終わっている場合、係止爪１６は結合部１６ａを除いて逆Ｕ字状のスリット１６ｂにより脚１２および座部１１から切り離されている。係止爪１６は複数対あってもよい。本発明実施例では、一対の係止爪１６が設けられている。
【００３２】
スリット１６ｂの座部１１から遠い側の端部の脚軸方向位置と結合部１６ａの脚軸方向位置とは、脚軸方向において互いに一致する。テザークリップ１０が可撓性を有する樹脂材からなるため、係止爪１６は、クリップ中心軸線１０ａに接近、離反する方向に、すなわち倒れ、起立する方向に、弾性的に回転変形可能である。
【００３３】
係止爪１６は、脚１２の外周面から座部１１側に向かってクリップ中心軸線１０ａからの距離が増大するように傾斜する外側面と、外側面の座部１１側端からクリップ中心軸線１０ａ側に折れ曲がり座部１１に対向するボデー係止面１６ｃを有する。
【００３４】
図３に示すように、ピラーガーニッシュ３０に組付けられたテザークリップ１０をピラー４０に取付ける際、脚１２をクリップ取付孔４１に挿入していくと、係止爪１６の外側面がクリップ取付孔４１の縁部の内面または内面角部に当たる。それ以上挿入すると、係止爪１６の座部側端が、係止爪１６がクリップ中心軸線１０ａに近づく方向に、脚１２との結合部１６ａ近傍にある回転変形中心かそれより座部１１から離れた側にある仮想回転変形中心まわりに回転変形していく。
【００３５】
テザークリップ１０の脚１２には、一対の係止爪１６の対向方向と直交する脚部位に、脚軸方向に延びる長孔からなる変形促進部１２ａが形成されていてもよい。変形促進部１２ａは、長孔以外に、脚下端で外部に開放するスリットまたは薄肉部であってもよい。ただし、変形促進部１２ａは設けられなくてもよい。変形促進部１２ａが設けられる場合は、変形促進部１２ａによって、結合部１６ａおよび結合部１６ａに接続する係止爪根本部は、係止爪１６がクリップ取付孔４１縁部から押された時にクリップ中心軸線１０ａ側に撓むことができる。これによって、結合部１６ａおよび係止爪根本部は、クリップ取付孔４１の内面の半径より大きくても、クリップ取付孔４１を通過できる。したがって、クリップ取付孔４１への通過性を確保したまま、結合部１６ａおよび係止爪根本部の厚みを厚くすることができ、それによって結合部１６ａおよび係止爪根本部の剛性を上げることができる。
【００３６】
図２に示すように、テザークリップ１０は、さらに、ばね座１７を有する。ばね座１７は、座部１１または脚１２の座部１１側端から、座部１１から離れる方向かつクリップ中心軸線１０ａから離れる方向に延びる。ばね座１７は弾性を有する。図３に示すように、ばね座１７は、脚１２をピラー４０のクリップ取付孔４１に挿通させた時に、クリップ取付孔４１縁部に当たって弾性圧縮される。ばね座１７は、係止爪１６のボデー係止面１６ｃとの間にクリップ取付孔４１縁部を挟み、テザークリップ１０とピラー４０との間の隙間を吸収してテザークリップ１０のグラツキを抑制する。ばね座１７は図示例のようにテザークリップ１０と一体に形成されていてもよいし、テザークリップ１０と別体であってもよい。
【００３７】
テザークリップ１０は、各係止爪１６の座部側端への延長部の座部側先端部にクリップ中心軸線１０ａから離れる方向に延びる係止解除部１８を持つタイプのクリップであってもよい。サービス時等においてテザークリップ１０をピラー４０から外す時には、一対の係止解除部１８を摘んで一対の係止解除部１８を互いに接近する方向に押し、係止爪１６を係止爪１６の回転変形中心まわりに互いに接近する側に倒す。これによって、係止爪１６のボデー係止面１６ｃのピラー４０との掛かりが外れるので、テザークリップ１０を抜き方向に引っ張ってピラー４０から外すことができる。
【００３８】
図２に示すように、係合保持部１５は、脚１２と反対方向に座部１１から立ち上がる。係合保持部１５は、テザー１３の立ち上がり部１３ｂの側方に一対設けられる。一対の係合保持部１５は、テザー曲がり方向面内において、立ち上がり部１３ｂを間において立ち上がり部１３ｂの側方にある。係合保持部１５は、立ち上がり部１３ｂから離れた位置に設けられる。
【００３９】
図３に示すように、係合保持部１５は、テザー挿入孔３２が設けられているテザー収納部底壁３１の厚みとほぼ等しい量だけ座部１１から立ち上がる立ち上がり部１５ａと、立ち上がり部１５ａの先端からさらに座部１１から離れる方向に延びるとともに立ち上がり部１５ａの立ち上がり方向と直交する方向に膨出する膨出部１５ｂを有する。膨出部１５ｂは立ち上がり方向と直交する方向に弾性をもつように中空形状に形成される。膨出部１５ｂの外形寸法は、係合保持部１５の自由状態において、テザー収納部３３の長方形のテザー挿入孔３２の短辺の長さより長い。
【００４０】
テザークリップ１０をピラーガーニッシュ３０に取付ける時には、係合保持部１５をテザー収納部３３のテザー挿入孔３２に押し込む。この時、膨出部１５ｂが膨出量が低減する方向に弾性変形してテザー挿入孔３２を通り抜け、膨出部１５ｂがテザー収納部３３内に入る。膨出部１５ｂがテザー挿入孔３２を通り抜けると、膨出部１５ｂが元の位置（自由状態の位置）に弾性復帰し、膨出部１５ｂがテザー収納部３３の長方形のテザー挿入孔３２の長辺の縁部と係合し、テザークリップ１０はテザー収納部底壁３１を膨出部１５ｂと座部１１との間に保持する。この状態を維持したまま、テザークリップ１０がピラー４０に取付けられる。
【００４１】
ＣＳＡ展開時、ＣＳＡ５０によってピラーガーニッシュ３０がピラー４０から離れる方向に押されると、テザー収納部３３のテザー挿入孔３２の縁部が係合保持部１５の膨出部１５ｂを抜き方向に押し、膨出部１５ｂを膨出量が低減する方向に弾性変形させる。すると、膨出部１５ｂがテザー挿入孔３２を通り抜け、テザー収納部底壁３１が係合保持部１５の膨出部１５ｂから外れる。
【００４２】
その結果、アンカー１４がテザー収納部底壁３１のテザー挿入孔３２の縁部に当たるまで、ピラーガーニッシュ３０がピラー４０から離れる方向に移動され、ピラー４０との間にＣＳＡ５０の膨張展開用隙間を作る。アンカー１４がテザー挿入孔３２の縁部に当たると、ピラーガーニッシュ３０はそれ以上ピラー４０から離れる方向に移動できなくなり、ピラーガーニッシュ３０の車室内方向への飛散が防止される。
【００４３】
図１に示すように、テザー１３は、テザー１３の先端部に位置するテザー先端部１３ａ、テザーの座部側端１３ｃ、テザー先端部１３ａとテザー１３の座部側端１３ｃとの間に延びるテザー中間部１３ｄとを有する。
テザー中間部１３ｄは、座部１１から立ち上がる立ち上がり部１３ｂと、立ち上がり部１３ｂに接続しテザー先端部１３ａ側に湾曲する湾曲部１３ｅと、湾曲部１３ｅとテザー先端部１３ａとの間の部分１３ｆと、を有してもよい。立ち上がり部１３ｂは、図２に示すように、座部１１と直交する方向に対してテザー先端部１３ａから遠ざかる方向に傾斜していてもよいし、または、座部１１と直交していてもよい。
【００４４】
図１に示すように、アンカー１４は、テザー先端部１３ａと接続されるアンカー本体６０と、テザー先端部１３ａを間にしてテザー先端部１３ａの両側で延びる一対の弾性片６１と、を有する。なお、一対の弾性片６１は、回転防止機能付き弾性片といってもよい。
【００４５】
アンカー本体６０は、テザー１３が沿って延びる１つの平面と直交する方向に延びる。図３に示すように、テザー先端部１３ａの延びる方向と平行方向に見た時のアンカー本体６０の形状はほぼ長方形である。アンカー本体６０の短辺の長さＬ１はテザー挿入孔３２の短辺の長さＷ１（図４）より短い。アンカー本体６０の長辺の長さＬ２はテザー挿入孔３２の長辺の長さＷ２（図５）より短く、かつテザー挿入孔３２の短辺の長さＷ１（図４）より長い。その結果、アンカー本体６０の長手方向とテザー挿入孔３２の長手方向との位相が合えばアンカー本体６０はテザー挿入孔３２を挿通可能である。
【００４６】
図１に示すように、一対の弾性片６１は、テザー１３ではなく、アンカー本体６０に接続されている。一対の弾性片６１は、自由状態にあるとき、テザー先端部１３ａを間にしてテザー先端部１３ａの両側で延びて設けられており、アンカー本体６０からアンカー本体６０の長手方向と直交する面に沿って延び、かつ、アンカー本体６０から離れるにしたがってテザー先端部１３ａから離れる方向に延びている。各弾性片６１は、自由端で終わっている。各弾性片６１は、テザー先端部１３ａの延びる方向と直交する面からの傾斜が弾性片６１の先端に近づくにつれて小さくされた裾野状に形成されている。各弾性片６１は、アンカー本体６０の長手方向に平行な方向に向けられた幅と、幅と直交しアンカー本体６０から離れる方向に向けられた長さと、幅および長さと直交する方向に向けられた厚みと、を有する。弾性片６１の幅の方向は、アンカー本体６０の長手方向と平行である。図４、図８に示すように、弾性片６１は、テザー先端部１３ａに接近して接触する位置に、弾性変形可能である。図１に示すように、弾性片６１の、アンカー本体６０に繋がる部分の幅は、アンカー本体６０の長手方向の長さと同じかまたはそれ以下であり、弾性片６１の幅は、先端に向って滑らかに狭くなっている。
【００４７】
弾性片６１は、図６に示すように、弾性片６１の長さ方向先端側に設けられる狭幅部６１ａと、弾性片６１の長さ方向アンカー本体６０側に設けられる広幅部６１ｂと、を有する。広幅部６１ｂはアンカー本体６０および狭幅部６１ａに連なる。広幅部６１ｂの幅は、アンカー本体６０から狭幅部６１ａに向って狭くなっている。広幅部６１ｂの、アンカー本体６０側端における幅は、アンカー本体６０の長手方向の長さと同じ（ほぼ同じを含む）である。広幅部６１ｂの狭幅部６１ａ側端における幅は、狭幅部６１ａの広幅部６１ｂ側端における幅と同じ（ほぼ同じを含む）である。狭幅部６１ａの幅方向の端面と広幅部６１ｂの幅方向の端面とは湾曲面にて連続的に接続されている。
【００４８】
弾性片６１の形状とテザー挿入孔３２の形状との関係はつぎのように設定される。すなわち、狭幅部６１ａの幅は狭幅部６１ａの長さの全長にわたって、テザー挿入孔３２の短辺の長さＷ１より短くされている。広幅部６１ｂの狭幅部６１ａ側の端部を除いて、広幅部６１ｂの幅は、テザー挿入孔３２の短辺の長さＷ１より長くされており、かつ、テザー挿入孔３２の長辺の長さＷ２以下とされている。広幅部６１ｂの狭幅部６１ａ側の端部の幅は、テザー挿入孔３２の短辺の長さＷ１より短くされている。したがって、広幅部６１ｂの長さ方向の中間部に、テザー挿入孔３２の短辺の長さＷ１と同じ部位６３が存在する。
【００４９】
図４に示すように、一対の弾性片６１の任意の長さ位置における厚みと一対の弾性片６１間にわたる方向におけるテザー先端部１３ａの厚みとの和は、テザー挿入孔３２の短辺の長さＷ１以下とされている。また、図５に示すように、一対の弾性片６１が自由状態にあるとき、一対の弾性片６１の先端間の間隔Ｌ３は、テザー挿入孔３２の短辺の長さＷ１（図４）より長くされており、テザー挿入孔３２の長辺の長さＷ２より短くされている。
【００５０】
つぎに、本発明実施例１の作用、効果を説明する。
〔テザークリップ１０のピラーガーニッシュ３０への組付け時〕
図４に示すように、アンカー１４のアンカー本体６０および弾性片６１とテザー挿入孔３２の位相を合わせてアンカー１４をテザー挿入孔３２に挿入する。ここで、弾性片６１は、テザー先端部１３ａに接近して接触する位置に弾性変形可能であり、一対の弾性片６１の任意の長さ位置における厚みと一対の弾性片６１間にわたる方向におけるテザー先端部１３ａの厚みとの和はテザー挿入孔３２の短辺の長さＷ１以下とされている。このため、一対の弾性片６１がテザー挿入孔３２長辺縁部により押されて想像線で示すようにテザー先端部１３ａ側に撓むことで、テザー先端部１３ａおよび一対の弾性片６１はテザー挿入孔３２を容易に挿通可能である。なお、テザークリップ１０の組付けは、（ｉ）図５に示すように、弾性片６１の狭幅部６１ａがテザー挿入孔３２に挿入された状態でテザー１３をテザー先端部１３ａまわりに９０度回転させる。ついで、（ｉｉ）テザー１３をテザー収納部３３内にさらに挿入することにより行う。
【００５１】
弾性片６１の狭幅部６１ａの幅は狭幅部６１ａの長さの全長にわたってテザー挿入孔３２の短辺の長さＷ１以下とされているため、一対の弾性片６１の狭幅部６１ａがテザー挿入孔３１に挿入された状態では、テザー１３をテザー先端部１３ａまわりに回転させることができる。よって、従来に比べて組付けの作業性が改善される。従来テザークリップでは、弾性片をピラーガーニッシュのテザー収納部底壁外面に押し付けた状態でないとテザーをテザー先端部中心軸線まわりに回転させることができないので、本発明品の方が従来品よりも組み付け作業性が改善される。
【００５２】
〔ＣＳＡ５０の膨張展開時〕
ＣＳＡ５０の膨張展開時、図７に示すように、アンカー本体６０がテザー挿入孔３２とほぼ直交した状態で一対の弾性片６１の広幅部６１ｂがテザー収納部底壁３１内面に当たってピラーガーニッシュ３０のピラー４０から離れる方向の移動が止められる。
【００５３】
一対の弾性片６１はアンカー本体６０から離れるに従ってテザー先端部１３ａから離れる方向に延びているため、ピラーガーニッシュ３０のテザー収納部底壁３１が一対の弾性片６１の広幅部６１ｂに接触開始した時、一対の弾性片６１の広幅部６１ｂが、一対の弾性片６１間の間隔が拡がる方向に弾性変形する。そのため、衝撃が吸収され、かつ、一対の弾性片６１の広幅部６１ｂとテザー挿入孔３２縁部との接触面積が増大し面圧が減少する。その結果、テザー挿入孔３２縁部の削れ、テザー挿入孔３２の拡大、テザー挿入孔３２縁部の割れが発生しにくくなる。
【００５４】
一対の弾性片６１は狭幅部６１ａを有するため、一対の弾性片６１の広幅部６１ｂがテザー収納部底壁３１に当たった時、一対の弾性片６１の狭幅部６１ａはテザー挿入孔３２内に位置する。そのため、一対の弾性片６１の狭幅部６１ａによりアンカー１４がテザー先端部１３ａまわりに回転することを抑制できる。
また、一対の弾性片６１の広幅部６１ｂが一対の弾性片６１間の間隔が拡がる方向に弾性変形するため、弾性片６１の狭幅部６１ａとテザー先端部１３ａとの間の距離が長くなり、狭幅部６１ａによる回転防止性能が高まる。
【００５５】
一対の弾性片６１の広幅部６１ｂがテザー収納部底壁３１に当たった時、一対の弾性片６１の狭幅部６１ａの根元はテザー挿入孔３２内に位置する。弾性片６１はアンカー本体６０から離れるにしたがってテザー先端部１３ａから離れる方向に延びているため、図８に示すように、一対の弾性片６１の狭幅部６１ａがテザー挿入孔３２内にある時に一方の弾性片６１−１の狭幅部６１ａがテザー挿入孔３２の短辺縁面によって強く押されても、テザー先端部１３ａに当たるまで弾性変形するだけであり、従来における一方の弾性片の根元の塑性変形が防止される。また、一方の弾性片６１−１の狭幅部６１ａがテザー挿入孔３２の短辺縁面によって強く押されても、他方の弾性片６１−２の狭幅部６１ａの根元側がテザー挿入孔３２内に位置しているので、テザー先端部１３ａにかかる回転力により他方の弾性片６１−２の狭幅部６１ａは変形し難く、かつ、他方の弾性片６１−２がアンカー本体６０への接続部から弾性片先端に向かって開いているので閉じ難いため、アンカー１４が回転してテザー挿入孔３２から抜ける可能性は少ない。
【００５６】
本発明実施例１では、各弾性片６１は、弾性片６１の幅がテザー挿入孔３２の短辺の長さＷ１より広い広幅部６１ｂを有しているため、弾性片６１の強度を高めることができる。
【００５７】
広幅部６１ｂの幅が、アンカー本体６０から狭幅部６１ａに向って狭くされており、広幅部６１ｂの、アンカー本体６０側端における幅が、アンカー本体６０の長手方向の長さと同じであり、広幅部６１ｂの狭幅部６１ａ側端における幅が、狭幅部６１ａの広幅部６１ｂ側端における幅と同じである。このため、テザークリップ１０がピラーガーニッシュ２０に組付けられている時においてアンカー１４がテザー収納部３３の開口３３ａを通してテザー収納部３３外に位置する場合であっても、ＣＳＡ５０の膨張展開時、アンカー１４がテザー収納部３３の外側からテザー収納部３３の開口３３ａを通ってテザー収納部３３の内側に移動する時に、アンカー１４がテザー収納部３３の開口３３ａに引っ掛かることを抑制できる。
以上述べた本発明実施例１に係るテザークリップ１０およびピラーガーニッシュ取付構造２０の構成及び作用効果は、本発明実施例２にも適用可能である。
【００５８】
〔第２実施例〕
つぎに、本発明実施例２に係るテザークリップ１０とピラーガーニッシュ取付構造２０を説明する。
本発明実施例１のうち本発明実施例２にも適用可能であるとした部分は、本発明実施例２にも適用される。
以下では、本発明実施例２のうち、本発明実施例１と異なる部分を主に説明する。
【００５９】
本発明実施例２では、図９に示すように、テザー１３のテザー中間部１３ｄに一対の案内板７０が設けられている。一対の案内板７０と、幅がテザー挿入孔３２の短辺の長さＷ１と同じである広幅部部位６３との間の距離は、テザー収納部底壁３１のテザー挿入孔３２縁部の厚み以上とされている。これにより、テザークリップ１０のピラーガーニッシュ３０への組付け時に、アンカー本体６０をテザー挿入孔３２に通した後で案内板７０がテザー収納部底壁３１に当たる前にテザークリップ１０をテザー先端部１３ａまわりに９０度回転させることができる。
【００６０】
一対の案内板７０は、１つの平面に沿って延び、一対の案内板７０が沿って延びる平面と、テザー１３が沿って延びる平面とは、同じか、または互いに平行である。一対の案内板７０は、湾曲部１３ｅとテザー先端部１３ａとの間のテザー部分１３ｆから弾性片６１と同じ面に沿って延びる。一対の案内板７０が沿って延びる平面とアンカー本体６０の長手方向を含む平面とは互いに直交する。一対の案内板７０は、湾曲部１３ｅとテザー先端部１３ａとの間のテザー部分１３ｆを間にして、互いに対向する対向２辺７１をもつ。対向２辺７１の各辺は直線状に延びている。一対の案内板７０の対向２辺７１の、案内板７０が沿って延びる平面と平行な方向の間隔は、テザー先端部１３ａに近づくにつれて広くなっている。案内板７０は、テザー部分１３ｆに一体に設けられている。
【００６１】
弾性片６１は、自由状態にあるとき、アンカー本体６０から、案内板７０に向う方向に延び、案内板７０の手前で終わっている。自由状態にあるときにおける弾性片６１の先端と案内板７０との間隔は、テザー収納部底壁３１のテザー挿入孔３２縁部の厚み分より短い。
【００６２】
テザー部分１３ｆと２辺７１との間の案内板部分は、図示例のように埋まっていてもよいし、または、図示を省略するがくり抜きの空間になっていてもよいし、または、アンカー１４に向って開放された開放空間になっていてもよい。埋まっている場合は案内板７０は板状体からなる。くり抜きの空間である場合は案内板７０は中抜き枠体からなる。開放空間になっている場合は案内板７０はテザー部分１３ｆからアンカー１４に向って斜めに延びる一対の棒状体からなる。
【００６３】
案内板７０が板状体または枠体からなる場合、案内板７０は、テザー部分１３ｆに直交するかまたはほぼ直交しかつアンカー本体６０の長手方向と直交する方向に延びる底辺７２と、底辺７２と対向２辺７１とを結ぶ湾曲部７３と、をさらに有していてもよい。底辺７２がテザー部分１３ｆに直交しかつアンカー本体６０の長手方向と直交する場合は、２辺７１およびその延長と底辺７２とは三角形を形成する。底辺７２はテザー部分１３ｆと斜めに交わってもよく、その場合は一対の案内板はほぼ四角形となる。
【００６４】
テザー挿入孔３２と案内板７０との形状関係はつぎのように設定される。すなわち、図１１に示すように、案内板７０の対向２辺７１の最大間隔Ｌ４は、テザー挿入孔３２の短辺の長さＷ１より長く長辺の長さＷ２より短い。また、案内板７０の最大厚みは、テザー挿入孔３２の短辺の長さＷ１より薄い。これにより、テザークリップ１０のピラーガーニッシュ３０への組付け時に、弾性片６１の狭幅部６１ａがテザー挿入孔３２に挿入された状態で、テザークリップ１０をテザー先端部１３ａの中心軸線まわりに９０度回転させて案内板７０を含む面とテザー挿入孔３２の長手方向の位相を合わせた時には、案内板７０はテザー挿入孔３２を挿通可能である。したがって、テザー１３をより深くテザー収納部３３に挿入していきテザークリップ１０をピラーガーニッシュ３０に組付け完了できる。組付け完了状態では、案内板７０はテザー収納部３３内に位置いていてもよくテザー収納部３３外に突出していてもよい。
【００６５】
つぎに、本発明実施例２の効果を説明する。
案内板７０が設けられているので、図１１に示すように、ＣＳＡ５０の膨張展開時、案内板７０がテザー挿入孔３２まで来た時に、テザー１３がクリップ中心軸線１０ａまわりに９０度近く回転する前に案内板７０の２辺７１がテザー挿入孔３２縁部に当たる。これによって、それ以上にテザー１３がクリップ中心軸線１０ａまわりに回転することが防止される。
【００６６】
回転が止められた状態からさらにピラーガーニッシュ３０がテザークリップ１０から抜ける方向に移動すると、案内板７０の２辺７１がテザー挿入孔３２縁部によって押され、テザー１３のクリップ中心軸線１０ａまわりの回転角度が０度近くに戻される。
【００６７】
これによって、ＣＳＡ５０の膨張展開時にピラーガーニッシュ３０がテザークリップ１０から抜ける方向に移動する途中において、アンカー本体６０の長手方向とテザー挿入孔３２の長手方向との直交性が保たれる。そのため、ＣＳＡ５０の膨張展開時時に一対の弾性片６１の狭幅部６１ａをテザー挿入孔３２に安定して突入させることができる。
【００６８】
自由状態にあるときにおける弾性片６１の先端と案内板７０との間隔は、テザー収納部底壁３１のテザー挿入孔３２縁部の厚み分より短い。そのため、ＣＳＡ５０の膨張展開時、案内板７０がテザー挿入孔３２を通った後、弾性片６１の狭幅部６１ａがテザー挿入孔３２内に進入する前に、テザー部１３がクリップ中心軸線１０ａまわりに回転することが防止される。
【符号の説明】
【００６９】
１０  テザークリップ
１０ａ  クリップ中心軸線
１３  テザー
１３ａ  テザー先端部
１３ｂ  立ち上がり部
１３ｅ  湾曲部
１３ｄ  テザー中間部
１４  アンカー
１５  係合保持部
２０  ピラーガーニッシュ取付構造
３０  ピラーガーニッシュ
３１  底壁
３２  テザー挿入孔
３３  テザー収納部
４０  ピラー
５０  ＣＳＡ
６０  アンカー本体
６１  弾性片
６１ａ  狭幅部
６１ｂ  広幅部
７０  案内板
７１  案内板の対向２辺
【図１】
0006464997.tif 000002
【図２】
0006464997.tif 000003
【図３】
0006464997.tif 000004
【図４】
0006464997.tif 000005
【図５】
0006464997.tif 000006
【図６】
0006464997.tif 000007
【図７】
0006464997.tif 000008
【図８】
0006464997.tif 000009
【図９】
0006464997.tif 000010
【図１０】
0006464997.tif 000011
【図１１】
0006464997.tif 000012
【図１２】
0006464997.tif 000013
【図１３】
0006464997.tif 000014